【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
外側壁と、内側壁と、第１カバーおよび第２カバーと、隔壁を備え、別々のチャンバーに触媒を組み合わせて受け入れるように構成された触媒反応器バスケットであって、
前記外側壁は前記触媒反応器バスケットの外周面に沿って広がり、また前記外側壁が広がることで前記触媒反応器バスケットに内部容積が形成され、
前記内側壁は前記外側壁の内側に設けられ、前記内側壁が広がることで開口部が形成され、前記開口部が前記触媒反応器バスケットの内部容積の内側境界を形成し、前記開口部は前記バスケットに対して軸方向に流体が流れるように寸法と形状が定められており、
前記第１カバーおよび前記第２カバーは前記外側壁と前記内側壁の両端に設けられ、前記第１カバーおよび前記第２カバーが前記触媒反応器バスケットの内部容積の各端部を定め、前記第１カバーおよび前記第２カバーの少なくとも一部が流体透過性を有し、
前記隔壁は前記第１カバーと前記第２カバーの間に設けられ、前記隔壁は前記触媒反応器バスケットの内部容積に第１チャンバーと第２チャンバーを形成し、前記隔壁の少なくとも一部が流体透過性を有し、前記第１チャンバーと前記第２チャンバーの各々が、それぞれの触媒を受け入れるようにサイズ決めされていることにより、前記軸方向に沿う１つの流体経路の中で二段階の反応が可能となることを特徴とする触媒反応器バスケット。
【請求項２】
前記第１チャンバーと前記第２チャンバーの内部に設けられた複数の間仕切りをさらに備え、前記複数の間仕切りの各々が前記外側壁と前記内側壁との間に広がると共に、前記隔壁と各カバーとの間に広がり、前記複数の間仕切りが前記第１チャンバーと前記第２チャンバーの内部に複数の区画室を形成し、前記区画室がそれぞれ触媒を受け入れるように寸法と形状が定められていることを特徴とする請求項１に記載の触媒反応器バスケット。
【請求項３】
前記第１チャンバーの中の第１区画室が、前記触媒反応器バスケットの軸に沿って前記第２チャンバーの中の第２区画室に整合しており、すべての流体が前記第１区画室を通過した後に、前記第２区画室を通過できるように構成されていることを特徴とする請求項２に記載の触媒反応器バスケット。
【請求項４】
前記第１区画室が第１触媒を受け入れるようにサイズ決めされ、前記第２区画室が第２触媒を受け入れるようにサイズ決めされており、軸方向の流体流路に沿って、流体がまず前記第１触媒に接触してから、前記第２触媒に接触するように構成されていることを特徴とする請求項３に記載の触媒反応器バスケット。
【請求項５】
前記第１触媒が前記第２触媒とは異なる性質を有することを特徴とする請求項４に記載の触媒反応器バスケット。
【請求項６】
前記間仕切りが隣接する区画室との間に流体バリアを提供することを特徴とする請求項２に記載の触媒反応器バスケット。
【請求項７】
少なくとも１つの区画室が第１触媒を受け入れるようにサイズ決めされ、前記第１触媒が隣接する区画室の中にある第２触媒とは異なる性質を有することを特徴とする請求項２に記載の触媒反応器バスケット。
【請求項８】
支持フレームをさらに備え、前記外側壁、前記内側壁、および前記隔壁が、前記支持フレームに支持されていることを特徴とする請求項１に記載の触媒反応器バスケット。
【請求項９】
前記カバーを前記触媒反応器バスケットの各端部に取り外し可能に固定するクリップが、さらに備えられている請求項１に記載の触媒反応器バスケット。
【請求項１０】
前記触媒反応器バスケットに連結されたフックをさらに備え、前記触媒反応器バスケットが前記フックから懸下するようにして前記触媒反応器バスケットが支持されるように、前記フックの寸法と形状が定められていることを特徴とする請求項１に記載の触媒反応器バスケット。
【請求項１１】
前記内側壁の少なくとも一部に流体透過性があることを特徴とする請求項１に記載の触媒反応器バスケット。
【請求項１２】
前記外側壁の少なくとも一部に流体透過性があることを特徴とする請求項１に記載の触媒反応器バスケット。
【請求項１３】
反応器の内部に触媒反応器バスケットを配置させるステップであって、前記触媒反応器バスケットは容積を定めており、前記触媒反応器バスケットの前記容積の内部に流体透過性の隔壁を有するステップと、
前記流体透過性の隔壁の一側に面した第１チャンバーの内部に第１触媒を受け入れ、前記流体透過性の隔壁の他側に面した第２チャンバーの内部に第２触媒を受け入れるステップと、
前記反応器の内部において、前記流体透過性の隔壁を挟んで、前記触媒反応器バスケットの前記第１チャンバーと前記第２チャンバーに流体を通過させるステップと、
を含むことを特徴とする流体に触媒作用を及ぼす方法。
【請求項１４】
前記触媒反応器バスケットの軸に沿って前記第１チャンバーが前記第２チャンバーに整合しており、前記触媒反応器バスケットの軸に沿って、流体を前記第１チャンバーに通過させた後に、前記第２チャンバーを通過させるステップをさらに含むことを特徴とする請求項１３に記載の方法。
【請求項１５】
前記通過させるステップに、前記第１チャンバー内部の前記第１触媒に流体を接触させた後に、前記第２チャンバー内部の前記第２触媒に流体を接触させるステップが含まれることを特徴とする請求項１４に記載の方法。
【請求項１６】
前記第１チャンバーと前記第２チャンバーのうち少なくとも１つを複数の間仕切りで仕切るステップがさらに備えられ、前記複数の間仕切りが複数の区画室を各々定めており、前記受け入れるステップに触媒を各間仕切りの中に充填するステップが含まれていることを特徴とする請求項１３に記載の方法。
【請求項１７】
流体を軸方向に通過させ、
前記第１チャンバーの間仕切りを前記第２チャンバーの間仕切りに整合させることで、前記第１チャンバーの区画室を前記第２チャンバーの区画室に軸方向に整合させ、
前記間仕切りは流体透過性を有さず、
前記通過させるステップには、軸方向に沿って、前記第１チャンバーの区画室に流体を通過させた後に、前記第２チャンバーの区画室に流体を通過させるステップが含まれていることを特徴とする請求項１６に記載の方法。
【請求項１８】
前記第１チャンバーの中の各触媒が前記第２チャンバーの中の各触媒とは異なり、
前記通過させるステップには、
流体を前記第１チャンバーに通過させた後に、流体を前記第２チャンバーに通過させ、前記第１チャンバーから第２チャンバーに前記流体が軸方向に流れることで、整合している各区画室の中にある様々な組み合わせの触媒に流体を接触させるステップが含まれていることを特徴とする請求項１７に記載の方法。
【請求項１９】
前記触媒反応器バスケットには、
前記流体透過性の隔壁から相隔てた第１カバーおよび第２カバーと、
前記第１カバーを取り外し可能に固定する第１クリップと、
前記第２カバーを取り外し可能に固定する第２クリップと、
が備えられ、
反応器の内部に触媒反応器バスケットを配置させるステップの前に、
前記第１チャンバーの内部に前記第１触媒を充填するステップと、
前記第１カバーを前記触媒反応器バスケットに設置するステップと、
前記第１クリップを用いて前記第１カバーを固定するステップと、
前記触媒反応器バスケットを裏返すステップと、
前記第２チャンバーの内部に前記第２触媒を充填するステップと、
前記第２カバーを前記触媒反応器バスケットに設置するステップと、
前記第２クリップを用いて前記第２カバーを固定するステップと、
が含まれていることを特徴とする請求項１３に記載の方法。
【請求項２０】
前記触媒反応器バスケットには、前記触媒反応器バスケットに連結されたフックが設けられ、前記フックを使用して前記触媒反応器バスケットを前記反応器に連結させるステップをさらに含むことを特徴とする請求項１３に記載の方法。